(57)【要約】【課題】  インターネット及びＰＣの操作に不慣れな事業者であっても、電子マニュフェストシステムの利用を容易にすることのできる情報処理装置、特に自動車情報処理装置を提供する。【解決手段】  インターネットに接続されるサーバーが入力を要求する情報を処理する装置であって、サーバーが入力を要求する情報を予め記憶するデータベース３３０と、データベース３３０に記憶された情報をサーバーに向けて送り、また情報に基づいてサーバーが返した回答を受け取るとともに、この情報に関連付けて回答を記憶部に記憶するデータ処理部３２０とを備えることを特徴とする情報処理装置。【選択図】図１５
2006227976.tif 000002
【特許請求の範囲】
【請求項１】
インターネットに接続されるサーバーが入力を要求する情報を処理する装置であって、
前記サーバーが入力を要求する情報を予め記憶する記憶部と、
前記記憶部に記憶された前記情報を前記サーバーに向けて送る第１の処理部と、
前記情報に基づいて前記サーバーが返した回答を受け取るとともに、前記情報に関連付けて前記回答を前記記憶部に記憶する第２の処理部と、
を備えることを特徴とする情報処理装置。
【請求項２】
前記情報は異なる複数種類の情報を含むことを特徴とする請求項１に記載の情報処理装置。
【請求項３】
前記複数種類の情報は、自動車の所有者、当該所有者が所有する自動車の車台番号、車両区分及び登録番号を含むことを特徴とする請求項１又は２に記載の情報処理装置。
【請求項４】
前記記憶部は、前記複数種類の情報を互いに関連付けて記憶することを特徴とする請求項１〜３のいずれかに記載の情報処理装置。
【請求項５】
前記第１の処理部は、前記サーバーが提供するｗｅｂページのソースコードに基づいて、前記情報を前記サーバーに向けて送ることを特徴とする請求項１〜４のいずれかに記載の情報処理装置。
【請求項６】
前記サーバーが提供するｗｅｂページのソースコードに基づいて、前記ｗｅｂページを表示する表示部を備えることを特徴とする請求項１〜５のいずれかに記載の情報処理装置。
【請求項７】
前記回答は、自動車リサイクル法に基づく自動車のリサイクル料金に関するものであることを特徴とする請求項１〜６のいずれかに記載の情報処理装置。
【請求項８】
インターネットに接続されるサーバーに対して情報の入力を行う装置であって、
自動車の車台番号、車両区分及び登録番号を記憶する自動車情報記憶部と、
前記自動車の車台番号、車両区分及び登録番号を、前記サーバーが提供するｗｅｂページのソースコードに基づいてデータを前記サーバーに送信するデータ送信部と、
を備えることを特徴とする自動車情報処理装置。
【請求項９】
前記サーバーは、自動車リサイクル促進センターの資金管理法人システムのサーバーであることを特徴とする請求項８に記載の自動車情報処理装置。
【請求項１０】
インターネットに接続されるサーバーから送信される情報を受信し、かつ記憶する装置であって、
自動車の車台番号、車両区分及び登録番号を当該自動車の所有者を特定する情報に関連付けて記憶する自動車情報記憶部と、
前記自動車の車台番号、車両区分及び登録番号に基づいて定められたリサイクル料金に関する情報を前記サーバーから受信し、かつ前記リサイクル料金に関する情報を、当該自動車の所有者を特定する情報に関連付けて、前記自動車情報記憶部に記憶させる受信情報処理部と、
を備えることを特徴とする自動車情報処理装置。
【請求項１１】
前記自動車の所有者を特定する情報及び当該所有者が所有する自動車の前記リサイクル料金に関する情報を所定媒体に印字する印字部を備えることを特徴とする請求項１０に記載の自動車情報処理装置。
【請求項１２】
自動車のリサイクル料金を特定するために必要な情報を記憶するコンピュータ装置に実行させるコンピュータプログラムであって、
前記リサイクル料金を特定するために必要な情報をインターネットを介して所定のサーバーに送信する処理と、
前記リサイクル料金を特定するために必要な情報に基づいて前記所定のサーバーが算出した前記リサイクル料金に関する情報をインターネットを介して受信する処理と、
前記所定のサーバーが算出したリサイクル料金に関する情報を、前記リサイクル料金を特定するために必要な情報に関連付けて記憶する処理と、
を含む処理を前記コンピュータ装置に実行させることを特徴とするコンピュータプログラム。
【請求項１３】
前記所定のサーバーが算出したリサイクル料金に関する情報を、前記リサイクル料金を特定するために必要な情報に関連付けて表示させる処理を含むことを特徴とする請求項１２に記載のコンピュータプログラム。                                        
【発明の詳細な説明】
【技術分野】
【０００１】
本発明は、使用済自動車のリサイクルを効果的に支援する電子マニュフェストシステム（自動車リサイクルシステム）への対応を容易にするための情報処理装置、自動車情報処理装置及びコンピュータプログラムに関するものである。
【背景技術】
【０００２】
平成１７年１月１日より「使用済自動車の再資源化等に関する法律」、所謂、自動車リサイクル法が施行された。自動車リサイクル法は、使用済自動車（廃車）から出る有用資源をリサイクルして、環境問題への対応を図るための法律であり、これまでのリサイクルの障害となっている部分につい て、自動車メーカー等がリサイクルの責任を果たすこと等が盛り込まれている。具体的には、エアコンの冷媒として使われており、大気放出されると地球環境を破壊する「フロン類」、爆発性があって処理の難しい「エアバッグ類」、使用済自動車から有用資源を回収した後に残る大量の「シュレッダーダスト」の３つについて自動車メーカー、自動車輸入業者等がリサイクルすることになっている。
【０００３】
自動車リサイクル法に関連する機関として、資金管理法人が設立されている。自動車メーカー等が以上のような責任を果たすための費用（リサイクル料金）は、新車購入の際又は車検時に自動車ユーザーが支払うが、支払われた料金が実際にリサイクルの費用として使われるまでの間、資金管理法人が管理する。資金管理法人は、リサイクル料金を管理するための資金管理法人システムを備えている。
【０００４】
また、自動車リサイクル法に関連する機関として、情報管理センターが設立されている。情報管理センターは、情報システム（情報管理センターシステム）を使って、使用済自動車のリサイクルに関係する事業者から移動報告情報を受け、これをファイルに記録、保存し、関連事業者等に必要な情報を提供することにより移動報告制度の維持、管理を行う。
【０００５】
この資金管理法人システム及び情報管理センターシステムを含めた自動車リサイクルシステム（電子マニュフェストシステム）は、リサイクル料金の支払い（預託）及びその確認、さらに使用済自動車がリサイクルの各工程において事業者間で適切に引取り、引渡しされていることが確認できることを目的としている。電子マニュフェストシステムは、インターネットを介して所定の情報を入力する形態を採用している。
【０００６】
このような電子マニュフェストシステムとして、特許文献１及び特許文献２に開示されるシステムが提案されている。
【０００７】
【特許文献１】特開２０００−５３０４５号公報
【特許文献２】特開２００４−１４５８４４号公報
【発明の開示】
【発明が解決しようとする課題】
【０００８】
自動車リサイクルにかかわる事業者は、電子マニュフェストシステムに事前に登録し、事業所コード及びパスワードを用いて（財）自動車リサイクル促進センターの自動車リサイクルシステムに関するｗｅｂページに接続して、種々の処理、手続きを行う必要がある。しかし、インターネット及びＰＣ（パーソナルコンピュータ）の操作に不慣れな事業者が少なくないため、その運用が円滑に進んでいない状況にある。
本発明は、このような技術的課題に基づいてなされたもので、インターネット及びＰＣの操作に不慣れな事業者であっても、電子マニュフェストシステムの利用を容易にすることのできる情報処理装置、特に自動車情報処理装置を提供することを目的とする。また本発明は、そのような情報処理装置を機能させるコンピュータプログラムを提供することを目的とする。
【課題を解決するための手段】
【０００９】
車検の際に、リサイクル料金を支払っていない自動車ユーザーは、事業者（例えば、車検整備業者）を介してリサイクル料金を資金管理法人に預託する。この預託の処理は、前記資金管理法人システムに対して所定の情報を事業者が入力することにより行われる。この所定の情報とは、自動車の車台番号、車両区分及び登録番号（又は車両番号）である。資金管理法人システムを利用することにより、リサイクル料金を確認することもでき、この場合も同様の情報を入力する。この３種類という少ない情報の入力処理であっても、インターネット及びＰＣの操作に不慣れな者にとっては非常に困難な操作、処理である。現実に、事業者から自動車リサイクルセンターへの問合せが殺到している。
【００１０】
そこで、自己の顧客である自動車ユーザーが所有する自動車に関する所定の情報を、予め事業者が自己の情報処理装置に備えておき、その所定の情報を用いることにより、事業者が人手により直接入力の操作を行うことなく、前記預託の処理を行うことに着目した。資金管理法人システムのｗｅｂページのソースコードは公開されているため、このソースコードを予め知る（取得する）ことにより、当該ｗｅｂページに対して入力すべき所定の情報を、このソースコードに基づいて当該所定の情報を当該サーバーに対して送信することができる。当該情報処理装置は、当該データをサーバーに対して送信し、一方で、所定の情報を受け取った資金管理法人システムは、例えば、リサイクル料金に関する情報を情報処理装置に対して返すことになる。当該情報処理装置は、こうして取得したリサイクル料金に関する情報を、当該自動車ユーザーが所有する自動車に関する情報に関連付けて記憶すれば、事業者は顧客サービスにその情報を用いることができるのである。
【００１１】
以上に基づく本発明の情報処理装置は、インターネットに接続されるサーバーが入力を要求する情報を処理する装置であって、サーバーが入力を要求する情報を予め記憶する記憶部と、記憶部に記憶された情報をサーバーに向けて送る第１の処理部と、この情報に基づいてサーバーが返した回答を受け取るとともに、この情報に関連付けて回答を記憶部に記憶する第２の処理部と、を備えることを特徴とする。
本発明の情報処理装置は、サーバーが入力を要求する情報を予め記憶しておき、この記憶しておいた情報を、入力を要求するサーバーに対して送ることにしたので、人手による情報の入力の手間を省くことができる。また、この情報は、サーバーに対して送る以外の用途に用いることができる利点がある。
【００１２】
本発明の情報処理装置において、情報は異なる複数種類の情報を含む場合に本発明の効果が顕著となる。人手による入力の手間を大幅に軽減できるからである。例えば自動車リサイクルシステムを対象とする場合、複数種類の情報は、自動車の所有者、当該所有者が所有する自動車の車台番号、車両区分及び登録番号を含むことになる。異なる複数種類の情報を対象とする場合、記憶部は、複数種類の情報を互いに関連付けて記憶することが望まれる。サーバーに向けて情報を送る場合の利便性のためである。
【００１３】
ここで第１の処理部は、前述したように、サーバーが提供するｗｅｂページのソースコードに基づいて、情報をサーバーに向けて送ることができる。サーバーが当該情報を受信して、適切な処理をなすためである。なお、ソースコードに基づいてとは、前述したように、公開されているソースコードを予め取得しておき、予め取得したソースコードに従って種々の処理を行うことを言う。以下も同様である。
また、本発明の情報処理装置は、サーバーが提供するｗｅｂページのソースコードに基づいて、ｗｅｂページを表示する表示部を備えることができる。情報処理装置のオペレータが介入して入力を行った方が望ましい場合があるためである。
【００１４】
サーバーが資金管理法人のサーバーだとすると、回答は、自動車リサイクル法に基づく自動車のリサイクル料金に関するものである。このリサイクル料金に関する情報を、自動車ユーザーに関連付けて記憶すれば、当該ユーザーへのリサイクル料金の通知等のサービスに用いることができる。
【００１５】
本発明による情報処理装置は、特に自動車情報処理装置に適用することが望まれる。この自動車情報処理装置は、インターネットに接続されるサーバーに対して情報の入力を行う装置であって、自動車の車台番号、車両区分及び登録番号を記憶する自動車情報記憶部と、自動車の車台番号、車両区分及び登録番号を、サーバーが提供するｗｅｂページのソースコードに基づいてデータをサーバーに送信するデータ送信部と、を備えることを特徴とする。ここで、このサーバーとして、自動車リサイクル促進センターの資金管理法人システムのサーバーとすることができる。この自動車情報処理装置により、リサイクル料金に関する手続きの負担を軽減することができる。
【００１６】
本発明による自動車情報処理装置は、リサイクル料金に関する情報を取得した場合に限っても有益である。この自動車情報処理装置は、インターネットに接続されるサーバーから送信される情報を受信し、かつ記憶する装置であって、自動車の車台番号、車両区分及び登録番号を当該自動車の所有者を特定する情報に関連付けて記憶する自動車情報記憶部と、自動車の車台番号、車両区分及び登録番号に基づいて定められたリサイクル料金に関する情報をサーバーから受信し、かつリサイクル料金に関する情報を、当該自動車の所有者を特定する情報に関連付けて、自動車情報記憶部に記憶させる受信情報処理部と、を備えることを特徴とする。このように記憶された情報は、自動車ユーザーへのリサイクル料金の通知等のサービスに用いるのに好適である。特に、この自動車情報処理装置は、自動車の所有者を特定する情報及び当該所有者が所有する自動車のリサイクル料金に関する情報を所定媒体に印字する印字部を備えることが望ましい。ダイレクトメールの印刷を想定するものである。
【００１７】
本発明は、以上の情報処理装置を機能させる以下のコンピュータプログラムをも提供する。すなわち本発明は、自動車のリサイクル料金を特定するために必要な情報を記憶するコンピュータ装置に実行させるコンピュータプログラムであって、リサイクル料金を特定するために必要な情報をインターネットを介して所定のサーバーに送信する処理と、リサイクル料金を特定するために必要な情報に基づいて所定のサーバーが算出したリサイクル料金に関する情報をインターネットを介して受信する処理と、所定のサーバーが算出したリサイクル料金に関する情報を、リサイクル料金を特定するために必要な情報に関連付けて記憶する処理と、を含む処理をコンピュータ装置に実行させることを特徴とするコンピュータプログラムである。
【００１８】
本発明のコンピュータプログラムは、所定のサーバーが算出したリサイクル料金に関する情報を、リサイクル料金を特定するために必要な情報に関連付けて表示させる処理を含むことができる。そうすることによりコンピュータの使用者が、リサイクル料金を確認することができる。この表示を行う媒体は問われない。
【発明の効果】
【００１９】
以上説明したように、本発明によれば、インターネット及びＰＣ（パーソナルコンピュータ）の操作に不慣れな事業者であっても、電子マニュフェストシステムの利用を容易にすることができる。しかも、得られた情報を、ダイレクトメール等に有効に活用することもできる。
【発明を実施するための最良の形態】
【００２０】
以下、添付図面に示す実施の形態に基づいてこの発明を詳細に説明する。
はじめに、図１に基づいて自動車リサイクルシステムのリサイクル料金の流れを説明する。
自動車リサイクルシステムにおいて、資金管理法人１０は預託されたリサイクル料金を、その使用がなされるまで管理する。リサイクル料金は、自動車ユーザー５０が資金管理法人１０に対して預託するが、預託のルートが自動車ユーザー５０の所有者５１と購入者（新車購入者）５２とで相違する。つまり、所有者５１は、自己の所有する自動車の車検時に預託実務受託業者３０を介してリサイクル料金を資金管理法人１０に預託する。預託実務受託業者３０には、民間車検業者が含まれている。一方、購入者（新車購入者）５２は、自動車ディーラー４０及び自動車メーカー２０を介してリサイクル料金を資金管理法人１０に預託する。なお、自動車メーカー２０は、自動車輸入業者を含んでいる。
【００２１】
資金管理法人１０は、リサイクル料金の預託、料金照会、預託状況を管理、運営するための資金管理法人システム１１を備えている。また、預託実務受託業者３０は、資金管理法人システム１１へのリサイクル料金の預託手続き、料金照会手続き等を円滑に行うための、本発明による預託実務受託業者システム３１を備えている。資金管理法人システム１１及び預託実務受託業者システム３１は、図２に示すようにインターネット６０を介して接続されている。資金管理法人システム１１は、サーバーを備えており、このサーバーがデータの処理を実行する。
【００２２】
本発明による預託実務受託業者システム３１の内容を説明する前に、その理解を容易にするために、資金管理法人システム１１の概要を説明する。
資金管理法人システム１１は、前述したように、インターネット６０を介したｗｅｂページとして利用に供されている。図３は、自動車リサイクルシステムのｗｅｂページのトップページである。このトップページには、「事業者向け」リンクボタン及び「ユーザー向けリサイクル料金等照会」リンクボタンが表示される。
「事業者向け」を選択すると、事業者向けのｗｅｂページに接続され、「ユーザー向けリサイクル料金等照会」を選択するとユーザー向けｗｅｂページに接続される。ただし、事業者が「ユーザー向けリサイクル料金等照会」を選択して、ユーザー向けｗｅｂページを利用できることはいうまでもない。
【００２３】
図４に事業者向けｗｅｂページのトップページを示している。このトップページは、事業者の種別毎に選択すべきリンクボタンが示されている。本発明に関しては、「預託実務受託業者」を選択することになる。そうすると、図５に示すように、資金管理法人システム１１の事業者向けｗｅｂページのログイン画面が表示される。このログイン画面では、手続きをしようとする「預託実務受託業者」が、予め付与されている事業所コード及びパスワードを、所定の枠に入力する。事業所コード及びパスワードを入力後に、「ログイン」のアイコンを押すことにより、図６に示す業務メニューの選択画面に進む。ここでは、業務メニューの中で、「預託申請」又は「料金照会」を選択した場合について、以後の操作を説明する。「預託申請」は、車検に伴ってリサイクル料金を資金管理法人１０に預託する場合の手続きをいう。また、「料金照会」は、ある特定の自動車に関するリサイクル料金を調べる際に利用するものである。
【００２４】
＜事業者による預託申請＞
図６に示されるメニューの中から、「預託申請」を選択した場合の表示画面を図７に示す。この画面では、預託申請を行う自動車を特定するための情報として、車台番号、車両区分及び登録番号（又は車両番号）を所定の枠に入力する。車台番号、車両区分及び登録番号（又は車両番号）の入力が完了すると、当該画面の「検索」アイコンを押す。資金管理法人システム１１は、入力された車台番号、車両区分及び登録番号（又は車両番号）に基づいて、当該自動車のリサイクル料金を算出する。操作を行っている当該端末、一般的にはＰＣが、算出されたリサイクル料金に関するデータを受信し、図８に示すように確認画面の中でリサイクル料金を表示する。この確認画面において、預託申請の内容に誤りがないかを確認した後、「申請」アイコンを押す。
【００２５】
＜事業者による料金照会＞
次に、図６に示されるメニューの中から、「料金照会」を選択した場合の手順について説明する。
図６に示されるメニューの中から「料金照会」を選択すると、図９に示される料金照会における検索画面に進む。この画面では、図７と同様に、料金照会を行う自動車を特定するための情報として、車台番号、車両区分及び登録番号（又は車両番号）を所定の枠に入力する。資金管理法人システム１１は、入力された車台番号、車両区分及び登録番号（又は車両番号）に基づいて、当該自動車のリサイクル料金を算出する。操作を行っている当該端末、一般的にはＰＣは、算出されたリサイクル料金に関するデータを受信し、図１０に示すように確認画面の中でリサイクル料金を表示する。この画面には預託状況も表示される。
【００２６】
＜ユーザーによる料金照会＞
図３に示す画面において、「ユーザー向けリサイクル料金等照会」を選択するとユーザー向けｗｅｂページに接続される。図１１にユーザー向けｗｅｂページのトップページを示すが、この画面では、リサイクル料金の預託状況の確認、車検時のリサイクル料金の確認及び廃車時に必要なリサイクル料金の確認のいずれかの利用目的を選択する必要がある。３つの目的のうちいずれかを選択し、かつ当該目的に供する自動車の車台番号、車両区分及び登録番号（又は車両番号）を所定の枠に入力する。資金管理法人システム１１は、入力された車台番号、車両区分及び登録番号（又は車両番号）に基づいて、当該自動車についてリサイクル料金が支払われているか否かを確認し、操作を行っている当該端末、一般的にはＰＣに対してその旨のデータを返す。図１２はリサイクル料金が支払われているか否かの結果を表示する画面であり、ここではリサイクル料金が支払われていない例を示している。
【００２７】
また、図１３に示すように、ユーザー向けｗｅｂページのトップページにおいて、車検時のリサイクル料金の確認を選択する場合も、自動車の車台番号、車両区分及び登録番号（又は車両番号）を所定の枠に入力する。すると、資金管理法人システム１１は、入力された車台番号、車両区分及び登録番号（又は車両番号）に基づいて、当該自動車についてリサイクル料金を算出し、操作を行っている当該端末、一般的にはＰＣは、算出されたリサイクル料金に関するデータを受信し、図１４に示すように確認画面の中でリサイクル料金を表示する。
【００２８】
以上、資金管理法人システム１１における預託申請、料金照会の手順、操作を説明したが、次に本発明による預託実務受託業者システム３１について説明する。預託実務受託業者システム３１は、資金管理法人システム１１に対して預託申請、料金照会等を事業者が行う際に、車台番号、車両区分及び登録番号（又は車両番号）等のＰＣへの入力の操作を行うことなく、預託申請、料金照会等の手続きを行うことのできるシステムである。また、預託実務受託業者システム３１は、資金管理法人システム１１から得られるリサイクル料金に関するデータを記憶し、顧客のサービスに役立てることのできるシステムである。
【００２９】
預託実務受託業者システム３１は、図１５に示すように、データ送受信部３１０、データ処理部３２０、データベース３３０、表示部３４０及び印字部３５０を備えている。
データ送受信部３１０は、インターネット６０を介して資金管理法人システム１１へデータを送信し、又は資金管理法人システム１１から送信されるデータを受信する。
データ処理部３２０は、預託実務受託業者システム３１におけるデータの処理を司る部分で、少なくとも図１６に示す機能を有している。この処理は、実際にはコンピュータプログラムに基づいて実行される。
データベース３３０は、預託実務受託業者システム３１が所定の機能を果たすために必要な情報を記憶している。データベース３３０は、少なくとも図１７に示す種類のデータを記憶している。
表示部３４０は、データ処理部３２０の指示にしたがって、所定の画像を表示する。表示部３４０は、一般的なディスプレイで構成することができる。
印字部３５０は、データ処理部３２０の指示にしたがって所定の内容を印字媒体に印字するもので、一般的なプリンタで構成することができる。
【００３０】
データ処理部３２０は、表示処理部３２０ａ、第１のデータ処理部３２０ｂ、第２のデータ処理部３２０ｃ及び印字処理部３２０ｄを備えている。
表示処理部３２０ａは、いくつかの機能を有している。資金管理法人システム１１のｗｅｂページのソースコードに基づいて、当該ｗｅｂページを表示部３４０に表示させることができる。つまり、表示処理部３２０ａは、前記ソースコードを含むプログラムを構成要素として備えており、例えばTWebBrowserコンポーネントを用いることにより、図５〜図１４で示した資金管理法人システム１１のｗｅｂページのいずれかを表示部３４０に表示させることができる。このとき、資金管理法人システム１１のサーバーから転送されるデータを、図５〜図１４で示した資金管理法人システム１１のｗｅｂページのいずれかに組込んだ形で表示させることができる。また表示処理部３２０ａは、データベース３３０のユーザー情報記憶部３３０ａに記憶されている自動車に関する情報を、所定の形式で表示部３４０に表示させることができる。
【００３１】
第１のデータ処理部３２０ｂは、資金管理法人システム１１のｗｅｂページへの接続処理を行う。このｗｅｂページへの接続が完了した後に、図３〜図１４で示した資金管理法人システム１１のｗｅｂページにおける選択、入力の動作を行う。この選択、入力に必要なデータの処理を行う。この処理は、資金管理法人システム１１のｗｅｂページのソースコードに基づいて行うことになる。つまり、第１のデータ処理部３２０ｂは、このソースコードに基づいて、データベース３３０に記憶されている情報を資金管理法人システム１１に送信する。例えば、図５に示すように、事業者向けｗｅｂページのログイン画面において、事業所コード及びパスワードの入力を要求している際には、データベース３３０に記憶されている事業所コード及びパスワードを前記ソースコードに則ったデータとする。このデータは、資金管理法人システム１１にデータ送受信部３１０を介して送信される。また、例えば図７に示すように、事業者向けｗｅｂページの預託申請における検索（入力）画面において、車台番号、車両区分及び登録番号（又は車両番号）の入力を要求している際には、データベース３３０に記憶されている車台番号、車両区分及び登録番号（又は車両番号）を前記ソースコードに則ったデータとする。その他、例えば、図６に示すように、事業者向けｗｅｂページの業務メニュー選択画面において、メニュー選択を要求している際には、いずれかのメニューを選択するための指示データをデータ送受信部３１０を介して資金管理法人システム１１のサーバーに対して送信する。
【００３２】
第２のデータ処理部３２０ｃは、資金管理法人システム１１のサーバーから受信したデータをデータベース３３０に記憶する際の処理を行う。この処理の内容は、詳しくは後述するが、リサイクル料金に関する情報を資金管理法人システム１１から受信した場合には、当該自動車に関連付けてリサイクル料金をデータベース３３０に記憶させる。
【００３３】
印字処理部３２０ｄは、データベース３３０に記憶されている種々のデータを用いて、印字部３５０に印字させることができる。例えば、データベース３３０に記憶されているユーザーの情報を用いて、車検時期を当該ユーザーに通知するためのダイレクトメールを印字部３５０にて作成することができる。
【００３４】
次に、データベース３３０について説明する。
データベース３３０は、ユーザー情報記憶部３３０ａ及び業者情報記憶部３３０ｂを備えている。
ユーザー情報記憶部３３０ａは、ユーザーが所有する自動車に関する情報を当該自動車に関連付けて記憶している。自動車に関する情報としては、車検証に記載される情報を少なくとも含み、かつリサイクル料金に関する情報をも含む。図１８は、その一例を示しており、各種情報をテーブル形式で記憶している例である。図１８に示すように、ユーザー情報記憶部３３０ａは、車台番号、車両区分及び登録番号（又は車両番号）を記憶している。また、ユーザー情報記憶部３３０ａは、リサイクル料金の預託の有無、リサイクル料金（合計の料金）、リサイクル料金の中のエアバックの処理に必要な料金に関する情報を記憶している。ユーザー情報記憶部３３０ａは、その他にも自動車に関する情報を記憶している。
【００３５】
業者情報記憶部３３０ｂは、資金管理法人システム１１の事業者向けｗｅｂページにログインするために要求される事業者コード及びパスワードを記憶している。また、業者情報記憶部３３０ｂは、リサイクル料金照会の際に、「ユーザー向けリサイクル料金等照会」のｗｅｂページ及び「事業者向け」のｗｅｂページのいずれかを利用するのかに関する情報を記憶している。
【００３６】
次に、本実施の形態にかかる預託実務受託業者システム３１の処理手順を図１９に示すフローチャートを参照しつつ説明する。
預託実務受託業者システム３１の処理手順は、料金照会と預託申請に分けることができる。また、料金照会は、「ユーザー向けリサイクル料金等照会」のｗｅｂページを用いるか又は「事業者向け」のｗｅｂページを用いることができる。預託実務受託業者システム３１は、事業者向けのものであるが、「ユーザー向けリサイクル料金等照会」のｗｅｂページをも利用できるようにしている。これは、「ユーザー向けリサイクル料金等照会」のｗｅｂページは、「事業者向け」のｗｅｂページの利用可能時間よりも遅い時間まで利用することができるためである。
【００３７】
預託実務受託業者システム３１は、ユーザー情報記憶部３３０ａに記憶されているユーザー情報を図２０に示す検査証の形式で表示部３４０に表示している（Ｓ１０１）。この表示画面で、図２１に示すように、「車両関連処理メニー」ポップアップウインドウを表示させる（Ｓ１０３）。以上の表示は、表示処理部３２０ａの制御によってなされている。この「車両関連処理メニー」の中に、「リサイクル料金照会」ボタンと「リサイクル料金預託」ボタンが表示され、預託実務受託業者システム３１のオペレータは、「リサイクル料金照会」又は「リサイクル料金預託」のいずれかを選択する（Ｓ１０５）。
【００３８】
オペレータが「リサイクル料金照会」を選択すると、第１のデータ処理部３２０ｂは、預託実務受託業者システム３１がリサイクル料金照会の際に、「ユーザー向けリサイクル料金等照会」のｗｅｂページを利用するのか、「事業者向け」のｗｅｂページを利用するのかを判断する（Ｓ２０１）。この判断は、第１のデータ処理部３２０ｂが、業者情報記憶部３３０ｂに記憶されている情報に基づいて行う。
「ユーザー向けリサイクル料金等照会」のｗｅｂページ及び「事業者向け」のｗｅｂページのいずれを利用する場合にも、各々のｗｅｂページの稼働時間内か否かを判断する（Ｓ２０３、Ｓ２１９）。この判断は、第１のデータ処理部３２０ｂが、ＰＣが通常備えているタイマーに基づいて行えばよい。また、タイマーによらず、時間外である旨のｗｅｂページが表示されるか否かで稼働時間内か否かを判断することもできる。稼働時間外の場合には、その旨の表示を表示部３４０に行う（Ｓ２３５）。
【００３９】
＜ユーザー向けｗｅｂページによる料金照会＞
「ユーザー向けリサイクル料金等照会」のｗｅｂページを利用する場合には、第１のデータ処理部３２０ｂは、必要なＵＲＬをインターネット６０に対して送信することにより、資金管理法人システム１１に接続する（Ｓ２０５）。
【００４０】
第１のデータ処理部３２０ｂは、次に、表示部３４０に表示されているユーザーの自動車の車台番号、車両区分及び登録番号（又は車両番号）を資金管理法人システム１１に対して送信する。同時に、第１のデータ処理部３２０ｂは、利用目的が、当該自動車のリサイクル料金が預託されているか否か確認する旨のデータを資金管理法人システム１１に対して送信する（Ｓ２０７）。このデータ送信は、図１１に示す表示画面における、車台番号、車両区分及び登録番号（又は車両番号）の入力、「リサイクル料金の預託状況を知りたい。」の選択と等価である。
【００４１】
資金管理法人システム１１は、以上のデータを受け取ると、当該自動車についてリサイクル料金が支払われているか否かを確認し、預託実務受託業者システム３１に対してその旨のデータを返す。
【００４２】
次に、第１のデータ処理部３２０ｂは、表示部３４０に表示されているユーザーの自動車の車台番号、車両区分及び登録番号（又は車両番号）を資金管理法人システム１１に対して送信する。同時に、第１のデータ処理部３２０ｂは、利用目的が、車検時に必要な当該自動車のリサイクル料金を確認したい旨のデータを資金管理法人システム１１に対して送信する（Ｓ２０９）。このデータ送信は、図１３に示す表示画面における、車台番号、車両区分及び登録番号（又は車両番号）の入力、「車検時に必要なリサイクル料金を知りたい。」の選択と等価である。
【００４３】
資金管理法人システム１１は、以上のデータを受け取ると、当該自動車についてリサイクル料金を算出し、その結果についてのデータを預託実務受託業者システム３１に対して返す。
【００４４】
預託実務受託業者システム３１の第２のデータ処理部３２０ｃは、リサイクル料金が支払われているか否かのデータを受け取り、データベース３３０のユーザー情報記憶部３３０ａに当該自動車に関連付けて記憶する（Ｓ２１１）。例えば、所有者ＡＢＣの自動車についてのリサイクルの預託の有無に関する情報であれば、図１８において、所有者ＡＢＣの「リサイクル預託」の欄にリサイクルの預託の有無に関する情報を記憶する。
また、預託実務受託業者システム３１の第２のデータ処理部３２０ｃは、リサイクル料金に関するデータを受け取り、データベース３３０のユーザー情報記憶部３３０ａに当該自動車に関連付けて記憶する（Ｓ２１３）。例えば、所有者ＡＢＣの自動車についてのリサイクル料金に関する情報であれば、図１８において、所有者ＡＢＣの「リサイクル料金」、「エアバック」等の欄にその料金に関する情報を記憶する。
【００４５】
以上の処理が終了すると、表示処理部３２０ａは、ユーザー情報記憶部３３０ａに記憶されたリサイクルに関する情報を用いて、図２０に示す検査証形式の表示画面の所定領域に、リサイクル料金の預託の有無、リサイクル料金を表示する（Ｓ２１７）。この表示画面を図２２に示すが、預託実務受託業者システム３１のオペレータはこの画面で当該自動車のリサイクル料金の預託の有無、リサイクル料金を確認することができる。
【００４６】
以上で、「ユーザー向けリサイクル料金等照会」のｗｅｂページを利用した料金照会の処理手順が終了する。このような処理をユーザー毎に繰り返すことにより、ユーザー情報記憶部３３０ａに記憶されている全ユーザーのリサイクル料金に関する情報を取得し、かつ記憶することができる。この情報の利用方法については後述する。
【００４７】
＜事業者向けｗｅｂページによる料金照会処理＞
リサイクル料金の照会を、「事業者向け」のｗｅｂページを利用して行う場合にも、第１のデータ処理部３２０ｂは、必要なＵＲＬをインターネット６０に対して送信することにより、資金管理法人システム１１に接続する（Ｓ２２１）。
【００４８】
次いで第１のデータ処理部３２０ｂは、資金管理法人システム１１に対して、「事業所コード及びパスワードに関するデータを送信する（Ｓ２２３）。このデータ送信は、図５に示す表示画面で事業所コード及びパスワードを、所定の枠に入力することに対応する処理である。
【００４９】
第１のデータ処理部３２０ｂは、次に、「預託実務受託業者」の業務メニューから、料金照会を選択する旨のデータを送信する（Ｓ２２５）。このデータ送信は、図６に示す業務メニューの選択画面において、「料金照会」を選択することに対応する処理である。
【００５０】
第１のデータ処理部３２０ｂは、次に、表示部３４０に表示されているユーザーの自動車の車台番号、車両区分及び登録番号（又は車両番号）を資金管理法人システム１１に対して送信する（Ｓ２２７）。このデータ送信は、図９に示す表示画面における、車台番号、車両区分及び登録番号（又は車両番号）の入力に対応する処理である。
【００５１】
資金管理法人システム１１は、以上のデータを受け取ると、当該自動車についてリサイクル料金を算出し、その結果についてのデータを預託実務受託業者システム３１に対して返す。このデータの内容は、図１０の表示画面に示されている通りであり、リサイクル料金の預託有無に関する情報も含んでいる。
預託実務受託業者システム３１の第２のデータ処理部３２０ｃは、返されたデータを受け取り、データベース３３０のユーザー情報記憶部３３０ａにも当該自動車に関連付けて記憶する（Ｓ２２９）。記憶の仕方は、Ｓ２１１及びＳ２１３と同様である。
【００５２】
以上の処理が終了すると、表示処理部３２０ａは、ユーザー情報記憶部３３０ａに記憶されたリサイクルに関する情報を用いて、図２０に示す検査証形式の画面の所定領域に、リサイクル料金の預託の有無、リサイクル料金を表示する（Ｓ２１７）。この表示画面は図２２に示す通りである。
【００５３】
以上で、「事業者向け」のｗｅｂページを利用した料金照会の処理手順が終了する。このような処理をユーザー毎に繰り返すことにより、ユーザー情報記憶部３３０ａに記憶されている全ユーザーのリサイクル料金に関する情報を取得し、かつ記憶することができることは、「ユーザー向けリサイクル料金等照会」のｗｅｂページを利用した場合と同様である。
【００５４】
＜事業者向けｗｅｂページによる預託申請＞
図２１に示す「車両関連処理メニー」ポップアップウインドウから、「リサイクル料金預託」を選択した場合（Ｓ１０５）の処理手順について以下説明する。
「車両関連処理メニー」ポップアップウインドウから、「リサイクル料金預託」を選択した場合にも、ｗｅｂページの稼働時間内か否かを判断する（Ｓ３０１）。稼働時間外の場合には、その旨の表示を表示部３４０に行う（Ｓ３１９）。
【００５５】
第１のデータ処理部３２０ｂは、必要なＵＲＬをインターネット６０に対して送信することにより、資金管理法人システム１１の「預託実務受託業者」ｗｅｂページに接続する（Ｓ３０３）。この処理は、図５に示す表示画面で事業所コード及びパスワードの入力を要求する画面を表示することに対応する処理である。
【００５６】
次いで第１のデータ処理部３２０ｂは、資金管理法人システム１１に対して、事業所コード及びパスワードに関するデータを送信する（Ｓ３０５）。このデータ送信は、図５に示す表示画面で事業所コード及びパスワードを、所定の枠に入力することに対応する処理である。
【００５７】
第１のデータ処理部３２０ｂは、次に、「預託実務受託業者」の業務メニューから、預託申請を選択する旨のデータを送信する（Ｓ３０７）。このデータ送信は、図６に示す業務メニューの選択画面において、「預託申請」を選択した場合に対応する処理である。
【００５８】
第１のデータ処理部３２０ｂは、次に、表示部３４０に表示されているユーザーの自動車の車台番号、車両区分及び登録番号（又は車両番号）を資金管理法人システム１１に対して送信する（Ｓ３０９）。このデータ送信は、図７に示す表示画面における、車台番号、車両区分及び登録番号（又は車両番号）の入力に対応する処理である。
【００５９】
資金管理法人システム１１は、以上のデータを受け取ると、当該自動車についてリサイクル料金を算出し、その結果についてのデータを預託実務受託業者システム３１に対して返す。このデータの内容は、図８の表示画面に示されている通りであり、車両情報、リサイクル料金及び預託に関わる金融機関の情報も含んでいる。
預託実務受託業者システム３１の第２のデータ処理部３２０ｃは、返されたデータを受け取り、データベース３３０のユーザー情報記憶部３３０ａに当該自動車に関連付けて記憶する（Ｓ３１１）。記憶の仕方は、Ｓ２１１及びＳ２１３と同様である。
【００６０】
また、表示処理部３２０ａは、ユーザー情報記憶部３３０ａに記憶されたリサイクルに関する情報を用いて、図８に示す預託申請の確認画面を表示部３４０に表示する（Ｓ３１３）。この表示は、表示処理部３２０ａが、ソースコードに基づいて行う。預託実務受託業者システム３１のオペレータは、預託申請すべき自動車であるか否かの確認を当該画面に基づいて行い、「申請」アイコンを押す。そうすると、第１のデータ処理部３２０ｂは、その旨のデータを資金管理法人システム１１に対して送る（Ｓ３１５）。なお、預託実務受託業者システム３１は、預託申請の確認画面を確認することなく申請する旨のデータを送ることができるが、預託申請すべき自動車であるか否かの確認をオペレータが行うことが好ましい。
【００６１】
以上の処理が終了すると、表示処理部３２０ａは、ユーザー情報記憶部３３０ａに記憶されたリサイクルに関する情報を用いて、図２０に示す車検証形式の画面上の所定領域に、リサイクル料金の預託の有無、リサイクル料金を表示する（Ｓ３１７）。この表示画面は図２３に示す通りであり、リサイクル料金が預託されたことの表示がある。
【００６２】
資金管理法人システム１１に対する預託実務受託業者システム３１の処理手順は以上の通りであり、現在、事業者のオペレータがなしている入力業務の大部分を省くことができる。したがって、インターネット及びＰＣの操作に不慣れな場合であっても、適切なリサイクル料金の預託処理を行うことができる。また、この預託実務受託業者システム３１は、後に車検時に預託が必要な自動車について、そのリサイクル料金を予めユーザー情報として記憶しておくことができる。したがって、この情報を利用して、事業者がユーザーに対して車検時期を通知するダイレクトメールを送る際に、このダイレクトメールにリサイクル料金の預託が必要であること、さらにそのリサイクル料金を、印字部３５０を用いて印字させることができる。
【図面の簡単な説明】
【００６３】
【図１】自動車リサイクルシステムのリサイクル料金の流れを示す図である。
【図２】自動車リサイクルシステムにおけるリサイクル料金に関するシステム構成を示す図である。
【図３】自動車リサイクルシステムのｗｅｂページにおけるトップページである。
【図４】事業者向けｗｅｂページのトップページである。
【図５】事業者向けｗｅｂページのログイン画面である。
【図６】事業者向けｗｅｂページの業務メニュー選択画面である。
【図７】事業者向けｗｅｂページの預託申請における検索（入力）画面である。
【図８】事業者向けｗｅｂページの預託申請における確認画面である。
【図９】事業者向けｗｅｂページの料金照会における検索（入力）画面である。
【図１０】事業者向けｗｅｂページの料金照会における検索結果画面である。
【図１１】ユーザー向けｗｅｂページの預託状況確認における車両検索（入力）画面である。
【図１２】ユーザー向けｗｅｂページの預託状況確認における検索結果画面である。
【図１３】ユーザー向けｗｅｂページのリサイクル料金確認における車両検索（入力）画面である。
【図１４】ユーザー向けｗｅｂページのリサイクル料金確認における検索結果画面である。
【図１５】本発明の預託実務受託業者システムの構成を示すブロック図である。
【図１６】本発明の預託実務受託業者システムにおけるデータ処理部の構成を示すブロック図である。
【図１７】本発明の預託実務受託業者システムにおけるデータベースの構成を示すブロック図である。
【図１８】本発明の預託実務受託業者システムにおけるデータベースのユーザー情報記憶部の記憶内容を示す図である。
【図１９】本発明の預託実務受託業者システムの処理手順を示すフローチャートである。
【図２０】本発明の預託実務受託業者システムにおける車両情報表示画面である。
【図２１】本発明の預託実務受託業者システムにおける車両関連処理メニューが表示されている画面である。
【図２２】本発明の預託実務受託業者システムにおける車両情報表示画面であって、リサイクル料金確認処理を行った後の表示の一例である。
【図２３】本発明の預託実務受託業者システムにおける車両情報表示画面であって、リサイクル料金確認処理を行った後の表示の他の例である。
【符号の説明】
【００６４】
１０…資金管理法人、１１…資金管理法人システム、
２０…自動車メーカー、
３０…預託実務受託業者、３１…預託実務受託業者システム、３１０…データ送受信部、
３２０…データ処理部、
３２０ａ…表示処理部、３２０ｂ…第１のデータ処理部、３２０ｃ…第２のデータ処理部、
３２０ｄ…印字処理部、
３３０…データベース、
３３０ａ…ユーザー情報記憶部、３３０ｂ…業者情報記憶部、
３４０…表示部、３５０…印字部、
４０…自動車ディーラー、５０…自動車ユーザー、６０…インターネット        
【図１】
2006227976.tif 000003
【図２】
2006227976.tif 000004
【図３】
2006227976.tif 000005
【図４】
2006227976.tif 000006
【図５】
2006227976.tif 000007
【図６】
2006227976.tif 000008
【図７】
2006227976.tif 000009
【図８】
2006227976.tif 000010
【図９】
2006227976.tif 000011
【図１０】
2006227976.tif 000012
【図１１】
2006227976.tif 000013
【図１２】
2006227976.tif 000014
【図１３】
2006227976.tif 000015
【図１４】
2006227976.tif 000016
【図１５】
2006227976.tif 000017
【図１６】
2006227976.tif 000018
【図１７】
2006227976.tif 000019
【図１８】
2006227976.tif 000020
【図１９】
2006227976.tif 000021
【図２０】
2006227976.tif 000022
【図２１】
2006227976.tif 000023
【図２２】
2006227976.tif 000024
【図２３】
2006227976.tif 000025
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
インターネットに接続されるサーバーに対して情報の入力を行う装置であって、
自動車の車台番号、車両区分及び登録番号を記憶する自動車情報記憶部と、
前記自動車の車台番号、車両区分及び登録番号を、前記サーバーが提供するｗｅｂページのソースコードに基づいてデータを前記サーバーに送信するデータ送信部と、
を備えることを特徴とする自動車情報処理装置。
【請求項２】
前記サーバーは、自動車リサイクル促進センターの資金管理法人システムのサーバーであることを特徴とする請求項１に記載の自動車情報処理装置。
【請求項３】
インターネットに接続されるサーバーから送信される情報を受信し、かつ記憶する装置であって、
自動車の車台番号、車両区分及び登録番号を当該自動車の所有者を特定する情報に関連付けて記憶する自動車情報記憶部と、
前記自動車の車台番号、車両区分及び登録番号に基づいて定められたリサイクル料金に関する情報を前記サーバーから受信し、かつ前記リサイクル料金に関する情報を、当該自動車の所有者を特定する情報に関連付けて、前記自動車情報記憶部に記憶させる受信情報処理部と、
を備えることを特徴とする自動車情報処理装置。
【請求項４】
前記自動車の所有者を特定する情報及び当該所有者が所有する自動車の前記リサイクル料金に関する情報を所定媒体に印字する印字部を備えることを特徴とする請求項３に記載の自動車情報処理装置。
【請求項５】
自動車のリサイクル料金を特定するために必要な情報を記憶するコンピュータ装置に実行させるコンピュータプログラムであって、
前記リサイクル料金を特定するために必要な情報をインターネットを介して所定のサーバーに送信する処理と、
前記リサイクル料金を特定するために必要な情報に基づいて前記所定のサーバーが算出した前記リサイクル料金に関する情報をインターネットを介して受信する処理と、
前記所定のサーバーが算出したリサイクル料金に関する情報を、前記リサイクル料金を特定するために必要な情報に関連付けて記憶する処理と、
を含む処理を前記コンピュータ装置に実行させることを特徴とするコンピュータプログラム。
【請求項６】
前記所定のサーバーが算出したリサイクル料金に関する情報を、前記リサイクル料金を特定するために必要な情報に関連付けて表示させる処理を含むことを特徴とする請求項５に記載のコンピュータプログラム。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
自動車のリサイクル料金を特定するために必要な情報を記憶するコンピュータ装置に実行させるコンピュータプログラムであって、
前記リサイクル料金を特定するために必要な情報をインターネットを介して所定のサーバーに送信する処理と、
前記リサイクル料金を特定するために必要な情報に基づいて前記所定のサーバーが算出した前記リサイクル料金に関する情報をインターネットを介して受信する処理と、
前記所定のサーバーが算出したリサイクル料金に関する情報を、前記リサイクル料金を特定するために必要な情報に関連付けて記憶する処理と、
を含む処理を前記コンピュータ装置に実行させることを特徴とするコンピュータプログラム。
【請求項２】
前記所定のサーバーが算出したリサイクル料金に関する情報を、前記リサイクル料金を特定するために必要な情報に関連付けて表示させる処理を含むことを特徴とする請求項１に記載のコンピュータプログラム。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
以上に基づく本発明は、自動車のリサイクル料金を特定するために必要な情報を記憶するコンピュータ装置に実行させるコンピュータプログラムであって、リサイクル料金を特定するために必要な情報をインターネットを介して所定のサーバーに送信する処理と、リサイクル料金を特定するために必要な情報に基づいて所定のサーバーが算出したリサイクル料金に関する情報をインターネットを介して受信する処理と、所定のサーバーが算出したリサイクル料金に関する情報を、リサイクル料金を特定するために必要な情報に関連付けて記憶する処理と、を含む処理をコンピュータ装置に実行させることを特徴とするコンピュータプログラムである。